(57)【要約】【課題】スレ違いスライド（重合面方向の前後スライド）の往復によって、重合した部材を起伏反転することなしに重合状態を上下切り換え自在なスライド装置を提供すること。【解決手段】固定側となる基体部３とスライド側となる前記第一部材と第二部材との一方若しくは双方とを、スライド自在に連結する連結部４を設け、この固定側とスライド側とを連結する連結部４は、前記固定側と前記スライド側との一方に固定連結すると共に他方に設けたガイド部５にスライド自在に連結する構成とし、この第一部材１と第二部材２とがスライド端部において上下重合状態が逆転する際この連結部４が回動してこの上下重合状態の逆転動がガイドされるように構成し、且つ前記第一部材１に対して前記第二部材２が上下いずれの側に重合した状態でも前記ガイド部５によってスライドガイドされるように構成したスライド装置。【選択図】図９
2008301244.tif 000002
【特許請求の範囲】
【請求項１】
第一部材と第二部材とを重合面方向にスライド自在に重合連結するスライド装置であって、第一部材に対して第二部材をスライド自在に構成、又は基体部に第一部材と第二部材とを重合状態に設けてこの第一部材と第二部材との双方を基体部に対して互いに逆方向にスライド自在若しくは第一部材と第二部材との一方を基体部に固定し、他方をこの一方に対してスライド自在に構成し、固定側となる前記第一部材とスライド側となる前記第二部材とを、又は固定側となる前記基体部とスライド側となる前記第一部材と第二部材との一方若しくは双方とを、スライド自在に連結する連結部を設け、この固定側とスライド側とを連結する連結部は、前記固定側と前記スライド側との一方に固定連結すると共に他方に設けたガイド部にスライド自在に連結する構成とし、前記第一部材の上側に重合した状態でスライドする前記第二部材を、前記第一部材の端部までスレ違いスライドさせた際、前記第一部材と前記第二部材とが互いにスライド方向に直列に並設した状態から下降して前記第一部材の下側に重合した状態で再び戻り方向にスライド自在となるように、前記連結部を回動自在に設けてリンク連結構成とし、この第一部材と第二部材とがスライド端部において上下重合状態が逆転する際この連結部が回動してこの上下重合状態の逆転動がガイドされるように構成し、且つ前記第一部材に対して前記第二部材が上下いずれの側に重合した状態でも前記ガイド部によってスライドガイドされるように構成して、前記第一部材と前記第二部材との重合状態がスライド往復により上下切換自在であって双方の重合状態で重合面方向にスライド自在に重合連結した構成としたことを特徴とするスライド装置。
【請求項２】
基体部に第一部材と第二部材とを上下重合状態に設け、少なくともこの第一部材に対して第二部材を重合面方向に相対スライド自在に構成し、この固定側となる基体部と少なくともスライド側となる前記第一部材若しくは前記第二部材とを連結部で連結し、この固定側とスライド側とを連結する連結部は、前記固定側となる基体部と前記スライド側となる前記第一部材若しくは前記第二部材との一方には回動自在に固定連結すると共に、この一方に固定連結した固定連結基部を支点に回動自在に設けた前記連結部の回動先端部を他方に設けたガイド部にスライド自在にして回動自在に係合連結した構成とし、前記第一部材の上側に重合した状態でスライドする前記第二部材を、前記第一部材の端部までスレ違いスライドさせた際、前記第一部材と前記第二部材とが互いにスライド方向に直列に並設した状態から下降して前記第一部材の下側に重合した状態で再び戻り方向にスライド自在となるように、前記連結部を回動自在に設けてリンク連結構成とし、前記固定側となる基体部に対して前記第一部材若しくは前記第二部材をスライドさせる際には、前記ガイド部とこれに係合連結する前記連結部によりスライドガイドされて、前記第一部材と前記第二部材とがスライド端部において上下重合状態が逆転する際この連結部が回動してこの上下重合状態の逆転動がガイドされるように構成し、且つ前記第一部材に対して前記第二部材が上下いずれの側に重合した状態でも前記ガイド部によってスライドガイドされるように構成して、前記第一部材と前記第二部材の重合状態がスライド往復により上下切換自在であって双方の重合状態で重合面方向にスライド自在に重合連結した構成としたことを特徴とするスライド装置。
【請求項３】
前記第一部材と前記第二部材との間に設けるピニオンと噛合し、この第一部材に対して第二部材をスライドさせたとき第一部材を逆方向にスライドさせる駆動力を伝達するラック歯を前記第一部材と前記第二部材に設け、このピニオンを前記第一部材と前記第二部材とのスレ違いスライド時の内側端部間に設けると共に、この夫々の部材の端部外周及び上下二面に前記ラック歯を設けて、前記第一部材に対して前記第二部材を重合面方向のスレ違い方向にスライドさせると、前記ピニオンとラック歯による伝達によって第二部材に対して第一部材が反対方向にスライドする駆動力が生じ、更に夫々の部材がスレ違い重合して夫々の部材の内端部までスライドした際直列に並設した状態から第一部材の上側に重合していた第二部材が下降すると共に、前記ピニオンとラック歯との伝達によって前記第二部材に対して前記第一部材が逆に上昇する駆動力が生じ、前記第一部材と前記第二部材との上下重合状態が逆転して切り換わった状態で再びこの第一部材の下側に重合している第二部材を戻り方向にスライドすることで前記ピニオンと前記ラック歯との伝達によって再び前記第二部材に対して前記第一部材が逆方向にスライドする駆動力が生じるように構成し、このピニオンとラック歯、並びに固定側となる前記基体部とスライド側となる前記第一部材若しくは前記第二部材との一方に回動自在に固定連結し他方には前記ガイド部を介してスライド自在にして回動自在に係合連結して前記各連結部を回動自在に設けてリンク連結構成としたことによって、前記第一部材と前記第二部材の重合状態がスライド往復により上下切換自在であって双方の重合状態で重合面方向にスライド自在に重合連結した構成としたことを特徴とする請求項２記載のスライド装置。
【請求項４】
本体部に重合部をスレ違いスライド自在に重合し、前記本体部に対し前記重合部をスライドさせて前記本体部の上面を隠蔽露出自在に構成する、又は本体部に第一重合部と第二重合部とをスレ違いスライド自在に重合し、第一重合部に対し第二重合部をスライドさせて前記第一重合部の上面を隠蔽露出自在に構成し、この本体部若しくは第一重合部を前記第一部材若しくは前記第二部材とし、前記重合部若しくは前記第二重合部を前記第二部材若しくは前記第一部材として前記請求項１〜３のいずれか１項に記載のスライド装置によって重合連結したことを特徴とするスライド装置を用いた電子機器。
【請求項５】
前記重合状態が上下切り換わる前記第一部材及び第二部材の上面に夫々ディスプレイ部又は操作部を設けて、このディスプレイ部若しくは操作部が、これを設けた部材が前記重合状態の上下切り換えによって下側重合部材となり上側重合部材のスライドによって隠蔽露出切り換え自在となる場合と、上側重合部材となって常時露出する場合とに切り換え自在となるように構成したことを特徴とする請求項４記載のスライド装置を用いた電子機器。
【発明の詳細な説明】
【技術分野】
【０００１】
本発明は、重合状態を上下切り換え自在なスライド装置並びにスライド装置を用いた電子機器に関するものである。
【背景技術】
【０００２】
例えば従来の折り畳み式の携帯電話・モバイル・パソコンあるいはゲーム機は、数字キーやファンクションキーを配列した操作部を下側となる本体部の上面側に設け、この操作部のキー操作などにより所定の表示がなされる液晶パネルなどのディスプレイ部を上側となる重合部の伏面側（重合側）に設け、この本体部と重合部とをヒンジ装置を介して連結して、本体部と重合部とを二つ折り重合して操作部を重合部により隠蔽した折り畳み閉塞状態から、ヒンジ装置により重合部を起伏回動して反転し、操作部とディスプレイ部とが露出した開放状態に切り換えできるように構成している。
【０００３】
そのため、従来このような起伏回動する重合部で本体部の操作部を覆う電子機器においては、折り畳み重合してコンパクト化できるものの操作部を隠蔽した重合状態ではディスプレイ部も隠蔽してしまう構造となり、コンパクト化した状態での使用が制限されざるを得なく不便である場合も多い。
【０００４】
また、操作部を操作する場合には、ディスプレイ部を設けた重い重合部を立ち起こし反転回動させなければならず、この開閉動作（特に開放動作）させづらい欠点もある。
【０００５】
そこで、起伏回動により開閉動作するのではなく、重合面に沿って前後方向に重合部をスライド移動して開閉動作するように構成すれば、重合部の上面にディスプレイ部を設けることができ、例えば不使用時あるいはキー操作不要時に重合した際においても、言い換えるとたとえディスプレイ部を設けた重合部を本体部に重合して操作部を隠蔽したコンパクト化状態においても、ディスプレイ部が上面に配設され、ディスプレイ部を視認したり、機能させたりすることが可能となり、また重合してコンパクト化した状態から操作部あるいは操作部や第二ディスプレイ部も露出した状態に切り換える場合は、重合面に沿って前後方向に重合部をスライド移動することで行なえるため、この開放動作も非常に容易に行なえ、機器装置として使用用途が広がり、しかも前記開閉動作も容易となる携帯電話，モバイル・パソコン・ゲーム機などの電子機器となる。
【０００６】
このようにスライド開閉方式に構成する場合には、本体部（第一部材）と重合部（第二部材）とをスライド自在に連結するスライド装置を用いることになるが、本体部の操作部を重合部で隠蔽した重合閉塞位置と、重合部を位置ズレするように前後方向へスレ違いスライドさせて操作部や第二ディスプレイ部を露出させたスライド開放位置とで位置決め保持（クリック係合）するように構成することが望ましい。
【発明の開示】
【発明が解決しようとする課題】
【０００７】
本発明は、更に画期的な着想に基づき、このスレ違いスライド（重合面方向の前後スライド）の往復によって、重合した部材を起伏反転することなしに重合状態を上下切り換え自在なスライド装置を提供し、更に一方の部材の上下いずれの側に他方の部材を重合していてもスレ違いスライドでき、しかも相対的に上側の部材をスライドさせてスライド端でこの上側の部材を下降させて戻りスライドすることで下側の部材の下側に重合でき、これによって重合状態が上下逆転できることから常に露出していた上側の部材の上面を下側部材の下側に重合させて今度は下側の部材であった上側の部材のスライドによって隠蔽露出開閉自在に切り換えでき、よって例えば上側の部材をスライドさせることで上側の部材の上面の画面だけ露出した１画面露出状態から下側の部材の上面の画面も露出した２画面露出状態にスライド変更でき、更に常に露出していた上側の部材を下側の部材の下側に重合させてこの上側の部材の上面にあって常に露出していた画面を今度は隠蔽露出自在にして他方の部材の画面が常に露出した状態に切り換えでき、しかもこの上下重合状態の切り換えは起伏回動でなくスライド往復動作によって行うことで実現できる画期的なスライド装置並びにスライド装置を用いた電子機器を提供することを目的としている。
【課題を解決するための手段】
【０００８】
添付図面を参照して本発明の要旨を説明する。
【０００９】
第一部材１と第二部材２とを重合面方向にスライド自在に重合連結するスライド装置であって、第一部材１に対して第二部材２をスライド自在に構成、又は基体部３に第一部材１と第二部材２とを重合状態に設けてこの第一部材１と第二部材２との双方を基体部３に対して互いに逆方向にスライド自在若しくは第一部材１と第二部材２との一方を基体部３に固定し、他方をこの一方に対してスライド自在に構成し、固定側となる前記第一部材１とスライド側となる前記第二部材２とを、又は固定側となる前記基体部３とスライド側となる前記第一部材１と第二部材２との一方若しくは双方とを、スライド自在に連結する連結部４を設け、この固定側とスライド側とを連結する連結部４は、前記固定側と前記スライド側との一方に固定連結すると共に他方に設けたガイド部５にスライド自在に連結する構成とし、前記第一部材１の上側に重合した状態でスライドする前記第二部材２を、前記第一部材１の端部までスレ違いスライドさせた際、前記第一部材１と前記第二部材２とが互いにスライド方向に直列に並設した状態から下降して前記第一部材１の下側に重合した状態で再び戻り方向にスライド自在となるように、前記連結部４を回動自在に設けてリンク連結構成とし、この第一部材１と第二部材２とがスライド端部において上下重合状態が逆転する際この連結部４が回動してこの上下重合状態の逆転動がガイドされるように構成し、且つ前記第一部材１に対して前記第二部材２が上下いずれの側に重合した状態でも前記ガイド部５によってスライドガイドされるように構成して、前記第一部材１と前記第二部材２との重合状態がスライド往復により上下切換自在であって双方の重合状態で重合面方向にスライド自在に重合連結した構成としたことを特徴とするスライド装置に係るものである。
【００１０】
また、基体部３に第一部材１と第二部材２とを上下重合状態に設け、少なくともこの第一部材１に対して第二部材２を重合面方向に相対スライド自在に構成し、この固定側となる基体部３と少なくともスライド側となる前記第一部材１若しくは前記第二部材２とを連結部４で連結し、この固定側とスライド側とを連結する連結部４は、前記固定側となる基体部３と前記スライド側となる前記第一部材１若しくは前記第二部材２との一方には回動自在に固定連結すると共に、この一方に固定連結した固定連結基部４Ａを支点に回動自在に設けた前記連結部４の回動先端部４Ｂを他方に設けたガイド部５にスライド自在にして回動自在に係合連結した構成とし、前記第一部材１の上側に重合した状態でスライドする前記第二部材２を、前記第一部材１の端部までスレ違いスライドさせた際、前記第一部材１と前記第二部材２とが互いにスライド方向に直列に並設した状態から下降して前記第一部材１の下側に重合した状態で再び戻り方向にスライド自在となるように、前記連結部４を回動自在に設けてリンク連結構成とし、前記固定側となる基体部３に対して前記第一部材１若しくは前記第二部材２をスライドさせる際には、前記ガイド部５とこれに係合連結する前記連結部４によりスライドガイドされて、前記第一部材１と前記第二部材２とがスライド端部において上下重合状態が逆転する際この連結部４が回動してこの上下重合状態の逆転動がガイドされるように構成し、且つ前記第一部材１に対して前記第二部材２が上下いずれの側に重合した状態でも前記ガイド部５によってスライドガイドされるように構成して、前記第一部材１と前記第二部材２の重合状態がスライド往復により上下切換自在であって双方の重合状態で重合面方向にスライド自在に重合連結した構成としたことを特徴とするスライド装置に係るものである。
【００１１】
また、前記第一部材１と前記第二部材２との間に設けるピニオン６と噛合し、この第一部材１に対して第二部材２をスライドさせたとき第一部材１を逆方向にスライドさせる駆動力を伝達するラック歯７を前記第一部材１と前記第二部材２に設け、このピニオン６を前記第一部材１と前記第二部材２とのスレ違いスライド時の内側端部間に設けると共に、この夫々の部材１，２の端部外周及び上下二面に前記ラック歯７を設けて、前記第一部材１に対して前記第二部材２を重合面方向のスレ違い方向にスライドさせると、前記ピニオン６とラック歯７による伝達によって第二部材２に対して第一部材１が反対方向にスライドする駆動力が生じ、更に夫々の部材１，２がスレ違い重合して夫々の部材１，２の内端部までスライドした際直列に並設した状態から第一部材１の上側に重合していた第二部材２が下降すると共に、前記ピニオン６とラック歯７との伝達によって前記第二部材２に対して前記第一部材１が逆に上昇する駆動力が生じ、前記第一部材１と前記第二部材２との上下重合状態が逆転して切り換わった状態で再びこの第一部材１の下側に重合している第二部材２を戻り方向にスライドすることで前記ピニオン６と前記ラック歯７との伝達によって再び前記第二部材２に対して前記第一部材１が逆方向にスライドする駆動力が生じるように構成し、このピニオン６とラック歯７、並びに固定側となる前記基体部３とスライド側となる前記第一部材１若しくは前記第二部材２との一方に回動自在に固定連結し他方には前記ガイド部５を介してスライド自在にして回動自在に係合連結して前記各連結部４を回動自在に設けてリンク連結構成としたことによって、前記第一部材１と前記第二部材２の重合状態がスライド往復により上下切換自在であって双方の重合状態で重合面方向にスライド自在に重合連結した構成としたことを特徴とする請求項２記載のスライド装置に係るものである。
【００１２】
また、本体部に重合部をスレ違いスライド自在に重合し、前記本体部に対し前記重合部をスライドさせて前記本体部の上面を隠蔽露出自在に構成する、又は本体部に第一重合部と第二重合部とをスレ違いスライド自在に重合し、第一重合部に対し第二重合部をスライドさせて前記第一重合部の上面を隠蔽露出自在に構成し、この本体部若しくは第一重合部を前記第一部材１若しくは前記第二部材２とし、前記重合部若しくは前記第二重合部を前記第二部材２若しくは前記第一部材１として前記請求項１〜３のいずれか１項に記載のスライド装置によって重合連結したことを特徴とするスライド装置を用いた電子機器に係るものである。
【００１３】
また、前記重合状態が上下切り換わる前記第一部材１及び第二部材２の上面に夫々ディスプレイ部20，21又は操作部を設けて、このディスプレイ部20，21若しくは操作部が、これを設けた部材が前記重合状態の上下切り換えによって下側重合部材となり上側重合部材のスライドによって隠蔽露出切り換え自在となる場合と、上側重合部材となって常時露出する場合とに切り換え自在となるように構成したことを特徴とする請求項４記載のスライド装置を用いた電子機器に係るものである。
【発明の効果】
【００１４】
本発明は上述のように構成したから、このスレ違いスライド（重合面方向の前後スライド）の往復によって、重合した部材を起伏反転することなしに重合状態を上下切り換え自在なスライド装置となり、更に一方の部材の上下いずれの側に他方の部材を重合していてもスレ違いスライドでき、しかも相対的に上側の部材をスライドさせてスライド端でこの上側の部材を下降させて戻りスライドすることで下側の部材の下側に重合でき、これによって重合状態が上下逆転できることから常に露出していた上側の部材の上面を下側部材の下側に重合させて今度は下側の部材であった上側の部材のスライドによって隠蔽露出開閉自在に切り換えでき、よって例えば上側の部材をスライドさせることで上側の部材の上面の画面だけ露出した１画面露出状態から下側の部材の上面の画面も露出した２画面露出状態にスライド変更でき、更に常に露出していた上側の部材を下側の部材の下側に重合させてこの上側の部材の上面にあって常に露出していた画面を今度は隠蔽露出自在にして他方の部材の画面が常に露出した状態に切り換えでき、しかもこの上下重合状態の切り換えは起伏回動でなくスライド往復動作によって行うことで実現できる画期的なスライド装置並びにスライド装置を用いた電子機器となる。
【００１５】
また、請求項２記載の発明においては、簡易な構成で容易に本発明を実現でき、扱い易く実用性に極めて秀れたスライド装置となる。
【００１６】
また、請求項３記載の発明においては、一方の部材のスライドによって他方の部材もラックとピニオンによって同期スライドし、スライド端部での上下重合逆転時においても同期して上下動するため一方の部材の相対的なスライド往復によってスライドも上下逆転動もスムーズに行え、しかも上下重合部材の双方ともスライド反転自在とすれば、常に上側の部材のスライドによって同期して互いに逆方向に自動スライドし互いに上下入れ換わるように同期反転することになり、非常に操作し易く上下重合逆転もスムーズにして操作も容易となる極めて画期的なスライド装置となる。
【００１７】
また、請求項４記載の発明においては、前記作用・効果を発揮する電子機器となり、特に請求項５記載の発明においては、一層実用性に秀れた画期的な電子機器となる。
【発明を実施するための最良の形態】
【００１８】
好適と考える本発明の実施形態（発明をどのように実施するか）を、図面に基づいて本発明の作用を示して簡単に説明する。
【００１９】
本発明は、例えば図６や図１４に示すように上下いずれの側にある場合であっても、固定側とスライド側とは連結部４によってスライド自在に連結されているため、下側の部材に対して上側の部材をスライド往復できるが、この連結部４が回動自在に設けられリンク連結構成となっているため、スライド端までスライドして上側の部材が下降して下側の部材の下側まで行き、下側の部材の下側に重合して再びスライド往復できる。
【００２０】
即ち、回動自在にして一方の部材のガイド部５にスライド自在に係合連結した連結部４によるリンク連結構成と、ガイド部５の設定によって、下側の部材に対して上側の部材をスライドしてスライド端で下降して下側の部材の下側に重合することで、更に戻り方向にスライドでき、この一方の部材のスライド往復や双方の部材の夫々のスライドによって重合状態が上下重合逆転できることとなる。
【００２１】
従って、例えば起伏回動反転させることなくスライドによって上下重合逆転でき、またいずれの重合状態においても相対スライドできるため、例えば、常に露出していた上側の部材の上面を下側部材の下側に重合させて下側の部材であった上側の部材のスライドによって隠蔽露出開閉自在に切り換えでき、よって例えば上側の部材の上面の画面だけ露出した１画面露出状態から上側の部材をスライドさせることで下側の部材の上面の画面も露出した２画面露出状態にスライド変更でき、更に常に露出していた上側の部材を下側の部材の下側に重合させてこの上側の部材の上面にあって常に露出していた画面を今度は隠蔽露出自在にして他方の部材の画面が常に露出した状態に切り換えでき、しかもこの上下重合状態の切り換えは起伏回動でなく一方の部材あるいは双方の部材の交互のスライドによる相対スライド往復動作によって実現できる画期的なスライド装置となる。
【実施例】
【００２２】
本発明の具体的な実施例について図面に基づいて説明する。
【００２３】
本実施例は、重合コンパクト化の図れる携帯形パソコンやモバイルあるいはＴＶゲーム機として使用できる電子機器に本発明を適用したもので、回路基板，電源などの電子部品をケースに内装した横長厚板状の第一部材１（本体部１）の上面側に第二ディスプレイ部21を設け、図示していないが左右には例えば操作部を設け、この本体部１に重合して第二ディスプレイ部21を覆う略同形の横長厚板状の第二部材２（重合部２）を短辺方向である水平前後方向にスライド自在にして、上下重合逆転自在にスライド装置により連結した構成としている。
【００２４】
この重合部２の上面側には前記操作部の操作や着信などにより所定の表示がなされると共にメモリや受信等により取得し出力するＴＶやＤＶＤなどのような横長映像を表示できる横長の第一ディスプレイ部20を設けている。
【００２５】
この本体部１と重合部２との連結は、後述するリンク連結構成となる複数の連結部４により成るスライド装置により連結して、本体部１に対して重合部２を重合面方向にスライド自在に開閉できるように構成し、本体部１の第二ディスプレイ部21を重合部２で隠蔽した重合閉塞位置と、重合部２を重合面方向、即ち位置ズレするように前後方向へスライドさせて第二ディスプレイ部21も露出させたスライド開放位置とで位置決め保持（スライドクリック係合）するように構成している（このスライドクリック係合構成については図示していない。）。
【００２６】
先ず図１〜図７に示す第一実施例について説明する。
【００２７】
本実施例では、第一部材１と第二部材２とを重合面方向にスライド自在に構成し、固定側となる前記第一部材１とスライド側となる前記第二部材２とを、スライド自在に連結部４で連結し、この固定側とスライド側とを連結する連結部４を、前記固定側と前記スライド側との一方に固定連結すると共に他方に設けたガイド部５にスライド自在に連結する構成としている。
【００２８】
即ち、前記第一部材１の上側に重合した状態でスライドする前記第二部材２を、前記第一部材１の端部までスレ違いスライドさせた際、前記第一部材１と前記第二部材２とが互いにスライド方向に直列に並設した状態から下降して前記第一部材１の下側に重合した状態で再び戻り方向にスライド自在となるように、前記連結部４を回動自在に設けてリンク連結構成としている。
【００２９】
従って、この第一部材１と第二部材２とがスライド端部において上下重合状態が逆転する際この連結部４が回動してこの上下重合状態の逆転動がガイドされるように構成し、且つ前記第一部材１に対して前記第二部材２が上下いずれの側に重合した状態でも前記ガイド部５によってスライドガイドされるように構成して、前記第一部材１と前記第二部材２との重合状態がスライド往復により上下切換自在であって双方の重合状態で重合面方向にスライド自在に重合連結した構成としている。
【００３０】
更に説明すると、本体部１とした第一部材１の上面には第二ディスプレイ部21を設け、重合部２となる第二部材２の上面には第一ディスプレイ部20を設け、この第一部材１の上面に第二部材２をスライド自在に重合し、常に第一ディスプレイ部20だけが露出した１画面露出状態から第二部材２をスライド開放して第一部材１の上面の第二ディスプレイ部21をも露出させて２画面露出状態に開閉切り換え自在に構成している。そして更に第二部材２をこの第一部材１の上面に重合した状態から第一部材１の下側に第二部材２を重合した状態に上下重合逆転自在に構成している。
【００３１】
しかも本実施例で第一部材１に対して第二部材２を相対スライドさせて下降し再び戻り方向に相対スライドさせるだけでこの上下重合逆転ができるように前記連結部４によりスライド自在に連結している。
【００３２】
即ち、第一部材１に対して第二部材２をスライド端部までスライドさせて下降させて第一部材１の下側に重合させて再び戻り操作させることで重合状態を上下切り換えでき、しかもいずれの重合状態でも第一部材１に対して第二部材２をスライドでき、しかもこのスライドによってこの上下重合逆転が行える構成としている。
【００３３】
従って、第一ディスプレイ部20と第二ディスプレイ部21のどちらかをスライド操作によって隠蔽露出切り換え自在とし、どちらかを常時露出画面とすることをスライドにより切り換え自在としている。
【００３４】
また、後述する実施例においても同様であるが、連結部４は固定側とスライド側との一方に一端を回動自在に連結固定し、他方に設けたガイド部に他端をスライド自在にして回動自在に連結固定するが、本実施では、固定側即ち第一部材１に回動自在に固定連結し、スライド側即ち第二部材２に設けたガイド部５に回動自在にしてスライド自在に係合連結している。
【００３５】
いずれにしても本実施例では、この一端部４Ａを回動自在に一方の部材に連結した連結部４の他端部４Ｂに設けた係合部を、他方の部材に設けたガイド部５にスライド自在に連結し、ガイド部５がこの連結部４の係合部に対して相対スライドすることでこのガイド部５に沿ってスライドガイドされて固定側に対してスライド側をスライドできる。
【００３６】
そしてスライド端部に達すると本実施例ではガイド部５の端部に連結部４の係合部が達し、更なる重合面方向のスライドが阻止され、そして更にスライドする、あるいは更にスライドしようとすると、又は下降させると、連結部４が固定連結した一端部４Ａ（固定連結基部４Ａ）を支点に回動すると共に、他端部４Ｂ（この回動先端の回動先端部４Ｂ）即ち少なくとも複数の連結部４の一つの連結部４の前記ガイド部５の末端に係合した係合部が、そのままの位置で連結部４が一端部４Ａを支点に回動する。即ちスライド端部では複数並設した一方の連結部４とガイド部５の係合がスライド端（ガイド部５端）に達して水平スライドが阻止されるかわりに連結部４が回動してスライド部材の下降や上昇がガイドされることになり、スライドさせた上側の部材がこの連結部４の回動と共に下降して下側の部材の下側に重合状態となり、そして前記ガイド部５を再びガイドとして戻りスライドできるように構成している。
【００３７】
即ち、連結部４の固定連結位置、連結部４の形状・長さ、ガイド部５の形成位置等の設定によって、上下いずれの側でもスライドがガイドされ、更に上側に重合した状態から下側に重合した状態に上下重合逆転するときもガイドされるように構成し、これによりスライド往復によって上下重合逆転ができることとなるように構成している。
【００３８】
次に図８〜図２１に示す第二実施例について説明する。
【００３９】
本実施例では、固定部とする基体部３に第一部材１と第二部材２とを上下重合状態にして重合配設し、この基体部３に対して一方を固定し、他方だけをスライド自在構成することもできるが、本実施例では、第一部材１と第二部材２とを夫々重合面方向に相対スライド自在に基体部３に重合した構成とし、基体部３を本体部とし、第一部材１と第二部材２とを夫々第一重合部１と第二重合部２とした構成としている。
【００４０】
この固定側となる基体部３と各前記第一部材１と前記第二部材２とを前記第一実施例と同様に夫々複数づつの連結部４で連結し、この固定側とスライド側とを連結する連結部４は、前記固定側となる基体部３と前記スライド側となる前記第一部材１や前記第二部材２との一方には回動自在に固定連結すると共に、この一方に固定連結した固定連結基部４Ａを支点に回動自在に設けた前記連結部４の回動先端部４Ｂの係合部を他方に設けたガイド部５にスライド自在にして回動自在に係合連結した構成としている。
【００４１】
本実施例では、具体的には板状の各第一部材１と第二部材２との夫々に、前記連結部４の他端部の回動先端部４Ｂの係合部をスライド自在に係合するスライドガイド溝をガイド部５として設けている。
【００４２】
従って、前記第一部材１の上側に重合した状態でスライドする前記第二部材２を、前記第一部材１の端部までスレ違いスライドさせた際、前記第一部材１と前記第二部材２とが互いにスライド方向に直列に並設した状態から下降して前記第一部材１の下側に重合した状態で再び戻り方向にスライド自在となるように、前記連結部４を回動自在に設けてリンク連結構成とし、前記固定側となる基体部３に対して前記第一部材１若しくは前記第二部材２をスライドさせる際には、前記ガイド部５とこれに係合連結する前記連結部４によりスライドガイドされ、前記第一部材１と前記第二部材２とがスライド端部において上下重合状態が逆転する際この連結部４が回動してこの上下重合状態の逆転動がガイドされるように構成し、且つ前記第一部材１に対して前記第二部材２が上下いずれの側に重合した状態でも前記ガイド部５によってスライドガイドされるように構成して、前記第一部材１と前記第二部材２の重合状態がスライド往復により上下切換自在であって双方の重合状態で重合面方向にスライド自在に重合連結した構成としている。
【００４３】
また、更に本実施例では、前記第一部材１と前記第二部材２との間に配設するピニオン６を基体部３（固定側）に回動自在に設け、このピニオン６と噛合し、この第一部材１に対して第二部材２をスライドさせたとき第一部材１を逆方向に同期スライドさせるラック歯７を前記第一部材１と前記第二部材２に設け、このピニオン６を前記第一部材１と前記第二部材２とのスレ違いスライド時の内側端部間に設けると共に、この夫々の部材１，２の端部外周及び上下二面に前記ラック歯７を設けて、前記第一部材１に対して前記第二部材２を重合面方向のスレ違い方向にスライドさせると、前記ピニオン６とラック歯７による伝達によって第二部材２に対して第一部材１が反対方向に同期スライドし、更に夫々の部材１，２がスレ違い重合して夫々の部材１，２の内端部までスライドした際直列に並設した状態から第一部材１の上側に重合していた第二部材２が下降すると共に、前記ピニオン６とラック歯７との伝達によって前記第二部材２に対して前記第一部材１が逆に上昇し、前記第一部材１と前記第二部材２との上下重合状態が逆転して切り換わった状態で再びこの第一部材１の下側に重合している第二部材２を相対的に戻り方向にスライドすることで、即ち上側となった第一部材１を進み方向にスライドさせることで、前記ピニオン６と前記ラック歯７との伝達によって再び前記第二部材２に対して前記第一部材１が逆方向にスライドする、即ち第二部材２が戻り方向にスライドするように構成し、このピニオン６とラック歯７、並びに固定側となる前記基体部３とスライド側となる前記第一部材１や前記第二部材２との一方に回動自在に固定連結し他方には前記ガイド部５を介してスライド自在にして回動自在に係合連結して前記各連結部４を回動自在に設けてリンク連結構成としたことによって、前記第一部材１と前記第二部材２の重合状態がスライド往復により上下切換自在であって双方の重合状態で重合面方向にスライド自在に重合連結した構成としている。
【００４４】
従って、本実施例では、基体部３上で第一部材１と第二部材２とがトランプを切るように上下入れ換わり重合自在となる構成で、しかも本実施例では、ラック歯７とピニオン６による上下の部材の同期によって、上側の部材を押して進みスライドさせれば、下側の部材が逆に自動スライドして容易にスライド開閉でき、一方を更にスライドしようとするなどして下降させれば、前記第一実施例のようにガイド部５と連結部４の設定による上下逆転動のガイドとラック歯７とピニオン６による同期によって他方は上昇して一方のスライドや下降によって自動逆転し、そして今度は上側となった部材を進みスライドさせれば、下側の部材は戻りスライドして容易にもとの重合閉塞状態に戻すことができる画期的な構成となる。
【００４５】
また、このピニオン６をモータ等で駆動して自動開閉させたり回動を軽くすることもできるし、図１９〜図２１に示すようにピニオン６の軸６Ａにゼンマイ等の回動復帰力蓄積機構８を組み込み、開放した状態や下降させて上下入れ換えの開放状態で開放させた操作力を開放すれば（例えば開放させた指を放すと）、このゼンマイや弾性力等の開放によって蓄積された復帰力によって自動的に重合閉塞状態に戻るように構成しても良い。
【００４６】
尚、図７に示すように第一実施例にこの第二実施例と同様に上下重合逆転動をスムーズとすべく（ガタ付き等を無くすべく）ピニオン６とラック歯７を設けても良い。
【００４７】
尚、本発明は、本実施例に限られるものではなく、各構成要件の具体的構成は適宜設計し得るものである。
【図面の簡単な説明】
【００４８】
【図１】第一実施例の重合閉塞状態の説明斜視図である。
【図２】第一実施例のスライド開放状態の説明斜視図である。
【図３】第一実施例のスライド端部までスライド開放し下降して直列に並設した状態の要部の説明斜視図である。
【図４】第一実施例の図３に示す状態から上側の部材が下側の部材の下側に重合した上下重合逆転を示す要部の説明斜視図である。
【図５】第一実施例の上下重合逆転して重合閉塞した状態の説明斜視図である。
【図６】第一実施例の上下重合逆転動を示す説明側断面図である。
【図７】第一実施例にピニオンとラックを設けた場合の上下重合逆転動を示す説明側断面図である。
【図８】第二実施例の重合閉塞状態の説明斜視図である。
【図９】第二実施例のスライド開放状態の説明斜視図である。
【図１０】第二実施例のスライド端部までスライド開放し下降して直列に並設した状態の要部の説明斜視図である。
【図１１】第二実施例の図１０に示す状態から上側の部材が下側の部材の下側に重合した上下重合逆転を示す要部の説明斜視図である。
【図１２】第二実施例の上下重合逆転して重合閉塞した状態の説明斜視図である。
【図１３】第二実施例の分解斜視図である。
【図１４】第二実施例の上下重合逆転動を示す説明側断面図１である。
【図１５】第二実施例の上下重合逆転動を示す説明側断面図２である。
【図１６】第二実施例の重合閉塞状態での説明側面図（図１７のＡ−Ａ断面図）である。
【図１７】第二実施例の図１６のＢ−Ｂ断面図である。
【図１８】第二実施例の図１６のＣ−Ｃ断面図である。
【図１９】第二実施例のピニオンにゼンマイによる回動復帰力蓄積機構を組み込んだ重合閉塞状態の側断面図（図２０のＤ−Ｄ断面図）である。
【図２０】第二実施例の図１９のＥ−Ｅ断面図である。
【図２１】第二実施例のピニオンに設けた回動復帰力蓄積機構（ゼンマイ）を示す要部の説明分解斜視図である。
【符号の説明】
【００４９】
１  第一部材，本体部，第一重合部
２  第二部材，重合部，第二重合部
３  基体部
４  連結部
４Ａ  固定連結基部，一端部
４Ｂ  回動先端部，他端部
５  ガイド部
６  ピニオン
７  ラック歯
20  第一ディスプレイ部
21  第二ディスプレイ部
【図１】
2008301244.tif 000003
【図２】
2008301244.tif 000004
【図３】
2008301244.tif 000005
【図４】
2008301244.tif 000006
【図５】
2008301244.tif 000007
【図６】
2008301244.tif 000008
【図７】
2008301244.tif 000009
【図８】
2008301244.tif 000010
【図９】
2008301244.tif 000011
【図１０】
2008301244.tif 000012
【図１１】
2008301244.tif 000013
【図１２】
2008301244.tif 000014
【図１３】
2008301244.tif 000015
【図１４】
2008301244.tif 000016
【図１５】
2008301244.tif 000017
【図１６】
2008301244.tif 000018
【図１７】
2008301244.tif 000019
【図１８】
2008301244.tif 000020
【図１９】
2008301244.tif 000021
【図２０】
2008301244.tif 000022
【図２１】
2008301244.tif 000023